(57)【要約】  【課題】１枚ずつメディアを本体に装着する必要がなく、目的のコンテンツが格納されたメディアを迅速に探すことを可能とする。  【解決手段】ステップＳ１１において、ライブラリの一覧が表示される。Ｓ１２において、ライブラリの一覧の中で所望のメモリカードが選択される。使用したいメモリカードに対応するサムネイルが描画されているアイコン上にカーソルが位置され、決定キーが押される。Ｓ１３において、選択されたメモリカードのメディアＩＤが無線送信される。Ｓ１４において、送信されたメディアＩＤがメモリカードによって受信される。Ｓ１５において、二つのメディアＩＤとの一致が検出され、一致すると判定されると、ステップＳ１６において、ＬＥＤが点灯される。ＬＥＤが点灯しているメモリカードがＳ１７において、本体に挿入される。挿入されたメモリカードから画像信号が読み出される。【選択図】図６
2010044491.tif 000002
【特許請求の範囲】
【請求項１】
制御部によって制御され、情報処理装置との間で情報信号の授受を行う記憶デバイスと、
上記制御部によって制御され、上記情報処理装置との間の無線通信を行う無線通信部と、
上記無線通信部を通じて上記情報処理装置から受信されたメディア識別子が記憶されている自身のメディア識別子とが一致すると上記制御部が判定する場合に、通知を発生する通知部と
を備える記録メディア。
【請求項２】
上記情報処理装置との間でコネクタによって上記情報信号の授受を行う請求項１記載の記録メディア。
【請求項３】
上記情報処理装置との間で無線通信によって上記情報信号の授受を行う請求項１記載の記録メディア。
【請求項４】
上記通知部は、光、音および振動の少なくとも一つの変化によって通知を行う請求項１記載の記録メディア。
【請求項５】
非接触の外部機器から供給される電気信号から電源を生成する電源生成部をさらに有する請求項１記載の記録メディア。
【請求項６】
情報処理装置と、上記情報処理装置に対して着脱自在の記録メディアとからなる記録メディア管理システムであって、
上記情報処理装置は、
記録メディアとの間のインターフェースと、
装着された上記記録メディアに対して情報信号を記録し、上記記録メディアから情報信号を再生する情報信号処理部と、
装着された上記記録メディアのメディア識別子と、該記録メディアに記録した情報信号との対応関係を示すライブラリを作成し、作成した上記ライブラリを不揮発性メモリに記憶し、
上記ライブラリを反映したメディア選択画面を表示部に表示し、
上記メディア選択画面で選択されたメディアのメディア識別子を第１の通信部によって無線通信するように、上記不揮発性メモリ、上記表示部および上記第１の通信部を制御する第１の制御部とを有し、
上記記録メディアは、
第２の制御部によって制御され、上記情報処理装置の上記インターフェースを介して情報信号を伝送する記憶デバイスと、
上記第２の制御部によって制御され、上記情報処理装置との間の無線通信を行う第２の通信部と、
上記第２の通信部を通じて上記情報処理装置から受信されたメディア識別子が記憶されている自身のメディア識別子とが一致すると上記第２の制御部が判定する場合に、通知を発生する通知部と
を備える記録メディア管理システム。
【請求項７】
上記ライブラリは、上記メディア識別子と記録されている情報信号の代表的信号との対応関係を示すものであり、
上記代表的信号が上記メディア選択画面で再生される請求項６記載のメディア管理システム。
【請求項８】
情報処理装置に対して記録メディアが装着されるステップと、
上記記録メディアのメディア識別子を取得するステップと、
上記記録メディアに対して情報信号を記録するステップと、
上記記録メディアのメディア識別子と、該記録メディアに記録した情報信号との対応関係を示すライブラリを作成し、作成した上記ライブラリを不揮発性メモリに記憶するステップと、
上記ライブラリを反映したメディア選択画面を表示部に表示し、上記メディア選択画面上で所望の情報信号が記録されている記録メディアを選択するステップと、
上記メディア選択画面で選択されたメディアのメディア識別子を第１の通信部によって無線通信するステップと、
上記第１の通信部によって送信されたメディア識別子を記録メディアの第２の通信部によって受信し、
上記第２の通信部を通じて上記情報処理装置から受信されたメディア識別子が記憶されている自身のメディア識別子とが一致すると判定する場合に、通知部によって通知を発生するステップと
からなる記録メディア管理方法。
【請求項９】
上記ライブラリは、上記メディア識別子と記録されている情報信号の代表的信号との対応関係を示すものであり、
上記代表的信号が上記メディア選択画面で再生される請求項８記載のメディア管理方法。
【発明の詳細な説明】
【技術分野】
【０００１】
この発明は、情報処理装置に対して着脱自在の記録メディア、並びに記録メディアを管理する記録メディア管理システムおよび管理方法に関する。
【背景技術】
【０００２】
情報処理装置に対して着脱自在の記録メディア（以下、リムーバブルメディアと称する）として、種々のメモリカード、光ディスク、磁気ディスク等が使用されている。情報処理装置に対してかかるリムーバブルメディアが装着／離脱される。情報処理装置の一例は、デジタルカメラである。
【０００３】
所望のコンテンツの格納されたリムーバブルメディアを探すためには、リムーバブルメディアに格納されている情報信号（以下、コンテンツと称する）を知る必要がある。コンテンツとは、ウェブサイトやメディアで人が閲覧できるひとまとまりの情報全般のことである。具体的には、音楽・映画・テキスト・漫画・ゲーム・ウェブページ等のことである。リムーバブルメディア内に格納されているコンテンツを知るためには、情報処理装置の本体側で格納されているコンテンツを読み取ることが必要である。リムーバブルメディアの個数が多いと、それぞれのコンテンツの読み取りを行うことは、リムーバブルメディアを１枚ずつ本体に対して装着する必要があり、手間がかかる。
【０００４】
さらに、下記の特許文献１には、デジタルカメラの撮影データおよびインデックス情報がリムーバブルメディアに記録され、リムーバブルメディアに電子ペーパを設けることが記載されている。特許文献１に記載のものでは、電子ペーパによってインデックス情報を表示することによって、記録内容が簡単に分かるようにしている。
【０００５】
【特許文献１】特開２００４−０４０４７１号公報
【０００６】
さらに、リムーバブルメディアに記録されているコンテンツを無線通信によって情報処理装置に伝送してコンテンツの内容を閲覧することが考えられる。
【発明の開示】
【発明が解決しようとする課題】
【０００７】
各リムーバブルメディアに電子ペーパを設け、記録されているコンテンツのインデックスを表示することは、多数のリムーバブルメディアを管理するのには適した方法とは言えない。すなわち、多数のリムーバブルメディアの電子ペーパを１枚ずつ確認する手間がかかる。さらに、無線でコンテンツを情報処理装置に送信する方法は、コンテンツのデータサイズが大きいと、転送に要する時間が長くなり、その間の消費電力が大きくなる問題がある。
【０００８】
この発明は、かかる従来の問題点を除去するもので、所望のコンテンツが格納されたリムーバブルメディアが迅速に判明するようにできる記録メディア、記録メディア管理システムおよび管理方法を提供することにある。
【課題を解決するための手段】
【０００９】
上述した課題を解決するために、この発明は、制御部によって制御され、情報処理装置との間で情報信号の授受を行う記憶デバイスと、
制御部によって制御され、情報処理装置との間の無線通信を行う無線通信部と、
無線通信部を通じて情報処理装置から受信されたメディア識別子が記憶されている自身のメディア識別子とが一致すると制御部が判定する場合に、通知を発生する通知部と
を備える記録メディアである。
【００１０】
好ましくは、情報処理装置との間でコネクタによって情報信号の授受がなされる。
【００１１】
好ましくは、情報処理装置との間で無線通信によって情報信号の授受がなされる。
【００１２】
好ましくは、通知部は、光、音および振動の少なくとも一つの変化によって通知を行うものである。
【００１３】
好ましくは、非接触の外部機器から供給される電気信号から電源を生成する電源生成部をさらに有する。
【００１４】
この発明は、情報処理装置と、情報処理装置に対して着脱自在の記録メディアとからなる記録メディア管理システムであって、
情報処理装置は、
記録メディアとの間のインターフェースと、
装着された記録メディアに対して情報信号を記録し、記録メディアから情報信号を再生する情報信号処理部と、
装着された記録メディアのメディア識別子と、該記録メディアに記録した情報信号との対応関係を示すライブラリを作成し、作成したライブラリを不揮発性メモリに記憶し、
ライブラリを反映したメディア選択画面を表示部に表示し、
メディア選択画面で選択されたメディアのメディア識別子を第１の通信部によって無線通信するように、不揮発性メモリ、表示部および第１の通信部を制御する第１の制御部とを有し、
記録メディアは、
第２の制御部によって制御され、情報処理装置のインターフェースを介して情報信号を伝送する記憶デバイスと、
第２の制御部によって制御され、情報処理装置との間の無線通信を行う第２の通信部と、
第２の通信部を通じて情報処理装置から受信されたメディア識別子が記憶されている自身のメディア識別子とが一致すると第２の制御部が判定する場合に、通知を発生する通知部と
を備える記録メディア管理システムである。
【００１５】
好ましくは、ライブラリは、メディア識別子と記録されている情報信号の代表的信号との対応関係を示すものであり、
代表的信号がメディア選択画面で再生される。
【００１６】
この発明は、情報処理装置に対して記録メディアが装着されるステップと、
記録メディアのメディア識別子を取得するステップと、
記録メディアに対して情報信号を記録するステップと、
記録メディアのメディア識別子と、該記録メディアに記録した情報信号との対応関係を示すライブラリを作成し、作成したライブラリを不揮発性メモリに記憶するステップと、
ライブラリを反映したメディア選択画面を表示部に表示し、メディア選択画面上で所望の情報信号が記録されている記録メディアを選択するステップと、
メディア選択画面で選択されたメディアのメディア識別子を第１の通信部によって無線通信するステップと、
第１の通信部によって送信されたメディア識別子を記録メディアの第２の通信部によって受信し、
第２の通信部を通じて情報処理装置から受信されたメディア識別子が記憶されている自身のメディア識別子とが一致すると判定する場合に、通知部によって通知を発生するステップと
からなる記録メディア管理方法である。
【発明の効果】
【００１７】
この発明によれば、所望のコンテンツが格納されたリムーバブルメディアを探すのに、１枚ずつリムーバブルメディアを本体に装着する必要がなく、手間と労力を省くことができる。さらに、目的のコンテンツが格納されたリムーバブルメディアを迅速に探すことができる。さらに、無線通信によってリムーバブルメディア内のコンテンツをアクセスする必要がなく、コンテンツを表示するまでの処理時間を短縮化でき、消費電力を節減することができる。
【発明を実施するための最良の形態】
【００１８】
以下、この発明の実施の形態について図面を参照しながら説明する。なお、以下に説明する実施の形態は、この発明の好適な具体例であり、技術的に好ましい種々の限定が付されているが、この発明の範囲は、以下の説明において、特にこの発明を限定する旨の記載がない限り、実施の形態に限定されないものとする。
【００１９】
〔カメラレコーダ〕
この発明の一実施の形態について説明する。図１を参照してこの発明を適用できる情報処理装置としてのビデオカメラレコーダ（ビデオカメラとレコーダとが一体構成とされた装置）の一例を説明する。ビデオカメラレコーダは、撮像された動画像信号または静止画像信号（以下、両方を区別する必要がない場合は、単に画像信号と称する）をリムーバブルメディア例えばメモリカードに記録するものである。以下、１台のビデオカメラレコーダによって複数のメモリカードに対して記録がなされ、複数のメモリカードの所望のメモリカードに記録されている画像信号をビデオカメラレコーダによって再生する例について説明する。
【００２０】
メモリカードとは、薄型でカードのような外見の外部記憶装置である。フラッシュメモリ、ハードディスク、ＵＳＢ(Universal Serial Bus)メモリ等の記憶素子と、本体との接続のためのインターフェースを備える。後述するように、この発明が適用されたメモリカードは、さらに、無線通信装置、ユーザインターフェース等を有する。
【００２１】
光学レンズ部１を介された被写体光がＣＣＤ（Charge Coupled Device）、ＣＭＯＳ(Complementary Metal Oxide Semiconductor)等の光電変換部２に入射される。光電変換部２から電気信号（撮像信号）が出力される。光電変換部２には、光電変換部のドライバ、前処理回路とが含まれている。
【００２２】
前処理回路は、例えばＣＣＤからの撮像信号に対して、ＣＤＳ（Correlated Double Sampling）処理を行って、Ｓ／Ｎ比を良好にし、ＡＧＣ（Automatic Gain Control）処理を行って、利得を制御し、そして、Ａ／Ｄ（Analog/Digital）変換によって、デジタル信号とされた撮像信号を形成する。
【００２３】
光電変換部２からのデジタル撮像信号が画像信号処理部３に供給される。画像信号処理部３は、撮像データに対して、ＡＦ（Auto Focus）、ＡＥ（Auto Exposure ）、ＡＷＢ（Auto White Balance）などのカメラ信号処理を施す。さらに、画像信号処理部３は、画像信号の圧縮／伸張処理を行う。ＭＰＥＧ(Moving Picture Experts Group Phase)−４Ｈ．２６４／ＡＶＣ(Advanced Video Coding)を用いた圧縮、ＭＰＥＧ−２を用いた圧縮等が
使用される。静止画像の圧縮には、ＪＰＥＧ（Joint Photographic Experts Group)が使
用される。
【００２４】
画像信号処理部３と関連して画像入出力部４が設けられている。画像入出力部４を介して外部から映像信号が入力される。画像入出力部４は、例えばＨＤＭＩ(High-definition multimedia interface)である。画像信号処理部３からの映像信号が液晶ディスプレイ５に供給され、撮像中の画像、または外部のメモリカードから読み出された画像が液晶ディスプレイ５に表示される。
【００２５】
音声入出力部６を介して音声信号が入出力される。音声入出力部６には、撮像中に音声信号を捕捉するマイクロホン、外部機器との間で音声信号を入出力するインターフェース等が含まれる。音声入出力部６に対して音声処理部７が接続される。音声処理部７は，音声信号の圧縮／伸張処理を行う。例えばＭＰＥＧオーディオの圧縮方式が使用される。
【００２６】
画像信号処理部３、音声信号処理部７およびカメラ機能制御部８がそれぞれ制御部９に接続される。制御部９は、画像信号処理部３および音声信号処理部７とを制御し、映像信号および音声信号を入出力する。カメラ機能制御部８は、制御部９からの制御信号を受け取り、光学レンズ部１のフォーカス機構、シャッター機構、絞り（アイリス）機構等を制御する。
【００２７】
制御部９は、ＣＰＵ（Central Processing Unit)によって構成される。制御部９と関連して不揮発性メモリ例えばフラッシュメモリ１０と、ＲＡＭ（Random Access Memory）１１と、ＲＯＭ（Read Only Memory）１２と、操作入力部１３とが設けられている。制御部９のＣＰＵがこれらのメモリと協働して、マイクロコンピュータとして機能する。フラッシュメモリ１０には、記録を行う時に自動的に作成されたライブラリが記憶される。
【００２８】
ライブラリは、メモリカードの識別子とメモリカードの記憶内容を示す情報例えばサムネイルとの対応関係を示す情報である。ライブラリは、ハードディスク等の他の不揮発性メモリに記録するようにしても良い。この発明の一実施の形態では、メモリカードが他の記録装置によって記録されないことを前提としている。すなわち、他の記録装置による記録を許容すると、ライブラリの情報が実体と異なるおそれがあるからである。但し、メモリカードを再生することは、他の再生装置によって行うようにしても良い。
【００２９】
ＲＯＭ１１およびＲＡＭ１２は、ＣＰＵが実行する種々のプログラムや、処理に必要になるデータ等を記憶するものである。操作入力部１３は、例えば本体の筐体に設けられたボタン（キー）である。ボタン操作で発生した操作信号が制御部９に供給され、ボタン操作に対応した制御動作が行われる。操作入力部１３は、液晶ディスプレイ５と関連して設けられたタッチパネルの構成でも良い。
【００３０】
制御部９に対してインターフェース部１４が接続される。この発明の一実施の形態では、インターフェース部１４によって、二つの外部デバイスが装着可能とされている。外部デバイスとして、メモリカード、他のビデオカメラレコーダ等がインターフェース部１４を介してビデオカメラレコーダに接続可能とされる。インターフェース部１４は、メモリカードに対応する独自の規格のインターフェース、汎用のインターフェース例えばＡＴＡ(AT attachment)に対応している。
【００３１】
この一実施の形態では、インターフェース部１４に対して装着されるメモリカードの管理に対してこの発明が適用される。しかしながら、他のリムーバブルメディアの管理に対してこの発明を適用できる。さらに、インターフェース部１４は、端子同士の機械的接触の構成に限らず、無線インターフェースの構成でも良い。例えば近距離無線転送技術を利用したインターフェースの構成としても良い。この場合には、携帯電話、デジタルカメラ、デジタルビデオカメラ等のモバイル機器から写真、動画像等の大容量ファイルを本体に近接させるのみで、本体に対して転送できる。
【００３２】
さらに、制御部９に対して通信部１５が接続される。通信部１５は、有線通信および無線通信の両方に対応している。有線通信は、具体的に、Ethernet（登録商標）、ＵＳＢ等である。無線通信は、具体的に、ＩＥＥＥ(Institute of Electrical and Electronics Engineers)８０２．１１ａ／ｂ／ｇ、ブルートゥース等である。さらに、ビデオカメラレ
コーダの電源を供給するための電源１６が設けられている。
【００３３】
〔メモリカード〕
図２は、この発明が適用されたリムーバブルメディアの一例としてのメモリカード２１の外観を示す。メモリカード２１は、本体との接続のための外部コネクタ２２と、通知部としてのＬＥＤ(Light Emitting Diode)２３をを有する。メモリカード２１は、内部に、図３に示す構成の回路部を有する。
【００３４】
図３に示すように、メモリカード２１が記録デバイス３１と内蔵メモリ（ＲＡＭ３２およびＲＯＭ３３）を有する。記録デバイス３１がインターフェース部３４を介して制御部３５に接続される。制御部３５は、ＣＰＵによって構成される。制御部９と関連してＲＡＭ３２と、ＲＯＭ３３とが設けられている。制御部３５のＣＰＵがこれらのメモリと協働して、マイクロコンピュータとして機能する。ＲＯＭ３３は、メモリカード２１の識別子（メディアＩＤと称する）が記憶される。メディアＩＤは、例えばメモリカードの製造時に付された製造番号のように、当該メモリカードにユニークな情報である。
【００３５】
記録デバイス３１は、メモリカードの記録メディアである。具体的には、フラッシュメモリ、小型ハードディスク等である。インターフェース部３４は、記録デバイス３１に対応する独自の規格のインターフェース、ＡＴＡ、ＵＳＢ等の汎用のインターフェースに対応している。
【００３６】
さらに、制御部３５に対してインターフェース部３６および通信部３７が接続される。インターフェース部３６は、外部ホスト（情報処理装置）例えば図１に示すビデオカメラレコーダとの接続用のインターフェースである。外部コネクタ２２がインターフェース部３６に含まれている。インターフェース部６は、メモリカードに対応する独自の規格のインターフェース、ＡＴＡ、ＵＳＢ等の汎用のインターフェースに対応している。
【００３７】
通信部３７は、外部ホストのビデオカメラレコーダとの間の無線通信を行う。無線通信は、具体的に、ＩＥＥＥ８０２．１１ａ／ｂ／ｇ、ブルートゥース等である。さらに、ＬＥＤ２３の発光が制御部３５によって制御される。ビデオカメラレコーダから送信されたメディアＩＤが通信部３７によって受信される。
【００３８】
制御部３５は、受信されたメディアＩＤとＲＯＭ３３に記憶されている自身のメディアＩＤとを比較し、両方のメディアＩＤが一致する場合にのみＬＥＤ２３を点灯する。ＬＥＤ２３の点灯状態は、電源の供給が断たれるまで継続する。または、ビデオカメラレコーダに挿入された場合に消灯される。さらに、メモリカードに対して電源を供給するための電源供給部３８が設けられている。
【００３９】
なお、ヒューマンインターフェース（マンマシンインターフェース）は、ユーザの五感で感知できるものであれば良い。すなわち、ＬＥＤのように発光素子以外に、音（スピーカ、ブザー）による通知、振動（バイブレータ）による通知等を使用しても良い。
【００４０】
上述した構成を有するメモリカード２１は、例えば収納ケースに設けられたホルダに収納される。収納ケースには、多数のホルダが配置され、多数のメモリカードが収納可能とされている。一例として、電源供給部３８は、収納ケースのホルダにメモリカード２１を装着した状態で非接触で電源を供給できる構成とされる。
【００４１】
図４は、かかる電源供給部３８の一例である。収納ケースの複数のホルダに１次側のコ字状コア４１がそれぞれ設けられ、メモリカード２１内部に２次側コア２が設けられる。コア４１に巻かれたコイル４３に対して交流信号が供給される。コア４２に対してコイル４４が巻かれており、コイル４４に１次側に供給された交流信号と同様の交流信号が誘起される。したがって、メモリカード２１内で交流信号を整流することによって、電源を生成できる。情報処理装置としてのビデオカメラレコーダにメモリカードを装着した場合において、電源を供給する構成としても図４の構成が使用される。この場合では、１次側のコア４１およびコイル４３がビデオカメラレコーダに設けられる。
【００４２】
なお、図４は、電源供給部３８の一例の構成であり、単なる電池（小型のコイン型電池）を含む種々の構成が可能である。例えばメモリカードの表面に太陽電池を取り付け、太陽電池により電源を回路部に供給しても良い。
【００４３】
〔ライブラリの作成〕
上述したビデオカメラレコーダ（図１参照）およびメモリカード（図２、図３および図４参照）からなるリムーバブルメディア管理システムについて説明する。メモリカード２１がビデオカメラレコーダのインターフェース部１４に装着される。そして、光学レンズ部１および光電変換部２により取得され、画像信号処理部３で生成された撮像信号が制御部９の制御によってメモリカード２１に対して記録される。撮像信号が記録されると、制御部９によって、自動的にライブラリが作成され、作成されたライブラリがビデオカメラレコーダのフラッシュメモリ１０に記憶される。
【００４４】
図５を参照してライブラリの作成処理の一例について説明する。ステップＳ１においてビデオカメラレコーダのメモリカード装着部に対してメモリカードが挿入される。ビデオカメラレコーダの制御部９がメモリカードの制御部３５と通信を行い、ステップＳ２において、ＲＯＭ３３に記憶されているメディアＩＤを読み出し、読み出したメディアＩＤをメディア例えばＲＡＭ１１に記憶する。
【００４５】
ステップＳ３において、ユーザが操作入力部１３に設けられた記録ボタンを押すことによって記録動作が開始される。撮影された画像信号が圧縮され、インターフェース部１４を介してメモリカード２１の記録デバイス３１に対して記録される。ステップＳ５において、ユーザが操作入力部１３に設けられた記録停止ボタンを押すことによって記録動作が終了する。
【００４６】
ステップＳ５において、制御部９の制御によってライブラリが作成される。作成されたライブラリが制御部９の制御によってフラッシュメモリ１０に対して記憶される。ライブラリは、メディアＩＤと記録されている画像信号の代表的画像（例えば縮小画像（サムネイルと称する））との対応関係を示す情報である。サムネイルによって、記録されている画像の内容が判る。動画像信号のサムネイルとしては、例えば記録開始時の画像が使用される。画像信号ではなく、楽曲をメモリカードに記録する時には、曲の先頭の部分、或いは曲の印象的な部分がライブラリとして記憶される。
【００４７】
〔メモリカードの探索〕
図６は、複数のメモリカードの中で所望のメモリカードを探す処理の流れを示す。図６では、ビデオカメラレコーダの制御部９の処理を図に向って左側に示し、メモリカードの制御部３５の処理を図に向って右側に示す。最初のステップＳ１１において、ユーザがボタン操作によってメモリカードの探索メニューを選択すると、フラッシュメモリ１０に記憶されているライブラリの一覧が液晶ディスプレイ５に表示される。
【００４８】
ライブラリの一覧は、以前に記録に使用したメモリカードのサムネイルである。ステップＳ１２において、ユーザがライブラリの一覧の中で、所望のメモリカードを選択する。例えば使用したいメモリカードに対応するサムネイルが描画されているアイコン（ボタン）上にカーソルが位置され、決定キーが押される。ステップＳ１３において、選択されたメモリカードのメディアＩＤが通信部１５によって無線でもって送信される。
【００４９】
ステップＳ１４において、送信されたメディアＩＤがメモリカードの通信部３７によって受信される。図６では、一つのメモリカードにおける処理のみが示されているが、複数のメモリカードにおいて、図６に示す処理と同様の処理がそれぞれなされる。
【００５０】
メディアＩＤを受信すると、ＲＯＭ３３に記憶されている自身のメディアＩＤが読み出され、ステップＳ１５において、受信されたメディアＩＤが自身のメディアＩＤと一致するか否かが判定される。二つのメディアＩＤが一致すると判定されると、ステップＳ１６において、ＬＥＤが点灯される。二つのメディアＩＤが一致しないと判定されると、ＬＥＤが点灯されない。
【００５１】
ＬＥＤが点灯しているメモリカードがステップＳ１７において、ビデオカメラレコーダに対して挿入される。再生ボタンを操作すると、挿入されたメモリカードから例えば画像信号が読み出され、画像信号処理部３によって処理され、再生画像が液晶ディスプレイ５に表示される。ユーザは、ライブラリの一覧で指定したメモリカードから画像信号を再生することができる。
【００５２】
メモリカードの探索についてより具体的に説明する。例えば２つのメモリカードに対してそれぞれ記録を行っていると、ステップＳ１１のライブラリの一覧の表示において、図７Ａに示す表示が液晶ディスプレイ５の画面になされる。Ｐ１がメディアＩＤの（０００１）を有するメモリカードのアイコンである。アイコンには、サムネイルが描画されている。メディアＩＤの４桁の数字は、単なる一例である。メディアＩＤが（０００２）のメモリカードのアイコンＰ２も表示される。
【００５３】
次に、新たにメディアＩＤが（０００３）のメモリカードが図５のステップＳ１に示すように、ビデオカメラレコーダに対して挿入され、このメモリカードに対して記録を行う。図５を参照して説明したように、記録が終了すると、自動的にライブラリが作成され、ライブラリがフラッシュメモリ１０へ記憶される。この結果、ライブラリの一覧の表示は、図７Ｂに示すように、新たなメモリカードのサムネイルが描画されたアイコンＰ３を含むものに変化する。
【００５４】
図８に示すように、３枚のメモリカード２１ａ、２１ｂ、２１ｃが例えばメモリカード収納ケースに収納されている。各メモリカードは、外部コネクタ２２ａ、２２ｂ、２２ｃと、ＬＥＤ２３ａ、２３ｂ、２３ｃとをそれぞれ有する。
【００５５】
ビデオカメラレコーダにおいて、ユーザがメモリカード探査メニューを開くと、図７Ｂに示すようなライブラリの一覧が液晶ディスプレイ５の画面に表示される（図６におけるステップＳ１１）。例えばアイコンＰ２のメモリカードに記録されている画像信号を再生したい場合、方向キーおよび決定キーを操作してアイコンＰ２が選択される（図６におけるステップＳ１２）。したがって、そのメディアＩＤ（０００２）が無線送信される（図６におけるステップＳ１３）。
【００５６】
メモリカード２１ａ、メモリカード２１ｂおよびメモリカード２１ｃがそれぞれメディアＩＤ（０００２）を受信する（図６におけるステップＳ１４）。各メモリカードにおいて、受信したメディアＩＤと自身のメディアＩＤとが一致するか否かが判定される（図６におけるステップＳ１５）。
【００５７】
メモリカード２１ｂ自身のメディアＩＤがビデオカメラレコーダが送信したメディアＩＤと一致するので、メモリカード２１ｂのＬＥＤ２３ｂが点灯する（図６におけるステップＳ１６）。他のメモリカードのＬＥＤが点灯しない。したがって、ユーザは、ＬＥＤ２３ｂが点灯しているメモリカード２１ｂが目的とするメモリカードであることが判る。したがって、メモリカード２１ｂがビデオカメラレコーダに挿入される（図６におけるステップＳ１７）。
【００５８】
このように、ユーザは、メモリカードのようなリムーバブルメディアをビデオカメラレコーダに順番に挿入することなしに、目的のメモリカード２２ｂを探し出すことができる。
【００５９】
この発明は、上述の実施の形態に限定されるものではなく、この発明の技術的思想に基づく各種の変形が可能である。例えば一つのリムーバブルメディアに複数のコンテンツが記録されている場合には、ライブラリの一覧において、一つのメディアに関して複数のサムネイルを表示しても良い。さらに、上述した一実施の形態において、ライブラリの一覧が作成されるのは、少なくとも一回は、記録を行ったメディアである。しかしながら、記録前のブランクメディアのメディアＩＤを予めライブラリとして登録しても良い。
【００６０】
よりさらに、この発明においては、情報処理装置が通信部を持たないで、リムーバブルメディアに備えられている通信部を利用して通信を行うことも可能である。すなわち、情報処理装置に挿入されたリムーバブルメディアの通信部を利用して通信を行うことになる。この場合では、記録時にブランクメディアを探すことが容易となる。さらに、この発明は、ビデオカメラレコーダ以外のビデオデッキ、パーソナルコンピュータ等の情報処理装置に対しても適用することができる。
【図面の簡単な説明】
【００６１】
【図１】この発明の一実施の形態におけるビデオカメラレコーダの構成を示すブロック図である。
【図２】この発明の一実施の形態におけるメモリカードの外観を示す略線図である。
【図３】この発明の一実施の形態におけるメモリカードの構成を示すブロック図である。
【図４】メモリカードに対して非接触で電源を供給するための構成を示す接続図である。
【図５】この発明の一実施の形態のライブラリ作成処理の流れを示すフローチャートである。
【図６】この発明の一実施の形態のメモリカードを探す処理の流れを示すフローチャートである。
【図７】この発明の一実施の形態におけるライブラリの一覧の表示例を示す略線図である。
【図８】この発明の一実施の形態を説明するための３個のメモリカードを示す略線図である。
【符号の説明】
【００６２】
１・・・光学レンズ部
２・・・光電変換部
３・・・画像信号処理部
５・・・液晶ディスプレイ
７・・・音声処理部
９・・・制御部
１０・・・フラッシュメモリ
１４・・・インターフェース部
１５・・・通信部
２１・・・メモリカード
２２・・・外部コネクタ
２３・・・ＬＥＤ
３１・・・記録デバイス
３５・・・制御部
３７・・・通信部
【図１】
2010044491.tif 000003
【図２】
2010044491.tif 000004
【図３】
2010044491.tif 000005
【図４】
2010044491.tif 000006
【図５】
2010044491.tif 000007
【図６】
2010044491.tif 000008
【図７】
2010044491.tif 000009
【図８】
2010044491.tif 000010